【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
遊技領域内に設けられ、前記遊技領域内に発射された遊技球を入球可能な始動口と、
遊技球が前記始動口に入球したことを契機として、遊技者に大当り状態を付与するか否かを決定する大当り抽選をおこなう大当り抽選手段と、
前記大当り抽選に当選した場合に、前記付与されることとなる大当り状態の終了後に、遊技領域内を転動流下する遊技球の始動口への単位時間あたりの入球率が高い第一状態を付与するか、または、単位時間あたりの入球率が前記第一状態よりも低い第二状態にするかを決定する入球率向上状態付与決定手段と、
遊技機の状態が前記第一状態または前記第二状態のいずれであるかを判定する入球率向上状態判定手段と、
前記遊技領域内に設けられ、大当り状態が付与された場合に開放されて遊技球が入賞可能となる大入賞口と、
を備え、
前記大当り状態は、前記大入賞口が開放されてから閉鎖されるまでを１回とするラウンドが１回もしくは複数回繰り返しておこなわれるラウンド遊技であって、かつ前記ラウンド数が多いもしくは１回のラウンドにおける前記大入賞口の開放時間が長い第一大当り状態、または、前記ラウンド遊技であって、前記ラウンド数が少ないもしくは１回のラウンドにおける前記大入賞口の開放時間が短い第二大当り状態が、遊技者に選択的に付与され、
前記第一および第二大当り状態中には前記第二状態をとる遊技機であって、
前記遊技機の状態が前記大当り状態であるか否かを判定する大当り状態判定手段と、
入球率向上状態判定手段による判定結果及び大当り状態判定手段による判定結果に応じた所定の情報信号を生成する情報信号生成手段と、
前記所定の情報信号を前記遊技機の外部に出力するための外部情報出力基板と、を備えるとともに、
前記情報信号生成手段が、
（ｉ）大当り状態判定手段により判定された前記遊技機の状態が前記第一大当り状態である場合、及び、
（ｉｉ）大当り状態判定手段により判定された前記遊技機の状態が前記第二大当り状態である場合であって、かつ、その第二大当り状態の終了後に前記第一状態をとることが入球率向上状態付与決定手段によって決定されている第二大当り状態にある場合、並びに、
（ｉｉｉ）入球率向上状態判定手段による判定結果が前記第一状態である場合、のいずれかの場合に該当するときには、前記所定の情報信号を生成し、
（ｉｖ）大当り状態判定手段により判定された前記遊技機の状態が前記第二大当り状態である場合であって、かつ、遊技機の状態がその第二大当り状態の終了後に前記第二状態をとることが入球率向上状態付与決定手段によって決定されている第二大当り状態にある場合には、前記所定の情報信号を生成しない、ことを特徴とする遊技機。
【請求項２】
入球率向上状態判定手段の判定結果に基づいて、遊技機の状態が前記第一状態であることを示す第１信号を生成する第１信号生成手段を、更に備え、
外部情報出力基板は、前記所定の情報信号を前記遊技機の外部に出力するための端子を備えるとともに、前記生成された第１信号を遊技機の外部に出力するため第１端子を更に備える、請求項１に記載の遊技機。
【請求項３】
大当り状態判定手段の判定結果に基づいて、前記遊技機が大当り状態にあることを示す第２信号を生成する第２信号生成手段を、更に備え、
外部情報出力基板は、前記所定の情報信号を前記遊技機の外部に出力するための端子を備えるとともに、前記生成された第２信号を遊技機の外部に出力するため第２端子を更に備えており、
前記第２信号生成手段が、
（ｉ）前記遊技機が前記第一大当り状態にある場合、および
（ｉｉ）前記遊技機が前記第二大当り状態にある場合であって、かつ、その終了後に前記第一状態をとることが入球率向上状態付与決定手段によって決定されている第二大当り状態にある場合、には前記第２信号を生成し、
（ｉｉｉ）前記遊技機が前記第二大当り状態にある場合であって、かつ、その終了後に前記第二状態をとることが入球率向上状態付与決定手段によって決定されている第二大当り状態にある場合には前記第２信号を生成しない、ことを特徴とする請求項１または２に記載の遊技機。
【手続補正２】
【補正対象書類名】明細書
【補正対象項目名】００１４
【補正方法】変更
【補正の内容】
【００１４】
すなわち本発明は、
（１）遊技領域内に設けられ、前記遊技領域内に発射された遊技球を入球可能な始動口と、
遊技球が前記始動口に入球したことを契機として、遊技者に大当り状態を付与するか否かを決定する大当り抽選をおこなう大当り抽選手段と、
前記大当り抽選に当選した場合に、前記付与されることとなる大当り状態の終了後に、遊技領域内を転動流下する遊技球の始動口への単位時間あたりの入球率が高い第一状態を付与するか、または、単位時間あたりの入球率が前記第一状態よりも低い第二状態にするかを決定する入球率向上状態付与決定手段と、
遊技機の状態が前記第一状態または前記第二状態のいずれであるかを判定する入球率向上状態判定手段と、
前記遊技領域内に設けられ、大当り状態が付与された場合に開放されて遊技球が入賞可能となる大入賞口と、
を備え、
前記大当り状態は、前記大入賞口が開放されてから閉鎖されるまでを１回とするラウンドが１回もしくは複数回繰り返しておこなわれるラウンド遊技であって、かつ前記ラウンド数が多いもしくは１回のラウンドにおける前記大入賞口の開放時間が長い第一大当り状態、または、前記ラウンド遊技であって、前記ラウンド数が少ないもしくは１回のラウンドにおける前記大入賞口の開放時間が短い第二大当り状態が、遊技者に選択的に付与され、
前記第一および第二大当り状態中には前記第二状態をとる遊技機であって、
前記遊技機の状態が前記大当り状態であるか否かを判定する大当り状態判定手段と、
入球率向上状態判定手段による判定結果及び大当り状態判定手段による判定結果に基づく遊技機の状態に応じた所定の情報信号を生成する情報信号生成手段と、
前記所定の情報信号を前記遊技機の外部に出力するための外部情報出力基板と、を備えるとともに、
前記情報信号生成手段が、
（ｉ）大当り状態判定手段により判定された前記遊技機の状態が前記第一大当り状態である場合、及び、
（ｉｉ）大当り状態判定手段により判定された前記遊技機の状態が前記第二大当り状態である場合であって、かつ、その第二大当り状態の終了後に前記第一状態をとることが入球率向上状態付与決定手段によって決定されている第二大当り状態にある場合、並びに、
（ｉｉｉ）入球率向上状態判定手段による判定結果が前記第一状態である場合、のいずれかの場合に該当するときには、前記所定の情報信号を生成し、
（ｉｖ）大当り状態判定手段により判定された前記遊技機の状態が前記第二大当り状態である場合であって、かつ、遊技機の状態がその第二大当り状態の終了後に前記第二状態をとることが入球率向上状態付与決定手段によって決定されている第二大当り状態にある場合には、前記所定の情報信号を生成しない、ことを特徴とする遊技機；
（２）入球率向上状態判定手段の判定結果に基づいて、遊技機の状態が前記第一状態にあることを示す第１信号を生成する第１信号生成手段を、更に備え、
外部情報出力基板は、前記所定の情報信号を前記遊技機の外部に出力するための端子を備えるとともに、前記生成された第１信号を遊技機の外部に出力するため第１端子を更に備える、上記（１）に記載の遊技機；
（３）大当り状態判定手段の判定結果に基づいて、前記遊技機が大当り状態にあることを示す第２信号を生成する第２信号生成手段を、更に備え、
外部情報出力基板は、前記所定の情報信号を前記遊技機の外部に出力するための端子を備えるとともに、前記生成された第２信号を遊技機の外部に出力するため第２端子を更に備えており、
前記第２信号生成手段が、
（ｉ）前記遊技機が前記第一大当り状態にある場合、および
（ｉｉ）前記遊技機が前記第二大当り状態にある場合であって、かつ、その終了後に前記第一状態をとることが入球率向上状態付与決定手段によって決定されている第二大当り状態にある場合、には前記第２信号を生成し、
（ｉｉｉ）前記遊技機が前記第二大当り状態にある場合であって、かつ、その終了後に前記第二状態をとることが入球率向上状態付与決定手段によって決定されている第二大当り状態にある場合には前記第２信号を生成しない、ことを特徴とする上記（１）または（２）に記載の遊技機；
を要旨とする。